(57)【要約】【課題】綴じ足を所定の方向に曲げた状態で挟持することで紙葉の綴じ込みを行う綴じ具において、綴じられた紙葉を一定量まとめて抜き差しするときに、抜き出した紙葉の綴じ孔が位置ずれしないようにする綴じ具を提供する。【解決手段】上記綴じ具において、綴じ具本体は、紙葉に挿入された綴じ足を所定の方向に収容する溝部を含むベース部と、ベース部上を、綴じ足を挟持する挟持位置と該綴じ足の挟持状態を開放する開放位置との間でスライド移動するスライド部と、ベース部に連結され、且つ綴じ具本体による紙葉の綴じ込みが解除された状態において、綴じ足と接触状態となり該綴じ足が挿入された紙葉の一部又は全部を、その綴じ孔を利用して移動することで、該紙葉を一時的に保持する一時保持部と、を有する。【選択図】図９
2009298125.tif 000002
【特許請求の範囲】
【請求項１】
紙葉に設けられた綴じ孔へ挿入する可撓性の綴じ足と、
前記綴じ足が挿入された紙葉上に配置され、該綴じ足を所定の方向に曲げた状態で挟持することで前記紙葉の綴じ込みを行う綴じ具本体と、を備える綴じ具であって、
前記綴じ具本体は、
前記紙葉に挿入された前記綴じ足を前記所定の方向に収容する溝部を含むベース部と、
前記ベース部上を、前記綴じ足を挟持する挟持位置と該綴じ足の挟持状態を開放する開放位置との間でスライド移動するスライド部と、
前記ベース部に連結され、且つ前記綴じ具本体による前記紙葉の綴じ込みが解除された状態において、前記綴じ足と接触状態となり該綴じ足が挿入された前記紙葉の一部又は全部を、その綴じ孔を利用して移動することで、該紙葉を一時的に保持する一時保持部と、
を有する綴じ具。
【請求項２】
前記一時保持部は、前記スライド部の前記ベース部に対する相対位置に応じて、前記綴じ足と接触可能な状態となる、
請求項１に記載の綴じ具。
【請求項３】
前記一時保持部は、前記綴じ具本体が前記紙葉の綴じ込みを行うときに該紙葉に接する前記ベース部の背面側において、該ベース部と連結され、
前記一時保持部は、前記スライド部が前記挟持位置にあるときは、前記ベース部内に収容され、且つ、前記スライド部が前記開放位置を含み前記綴じ足の挟持状態が解除されている位置にあるときは、前記綴じ足と接触可能となるように前記ベース部から飛び出す、
請求項１又は請求項２に記載の綴じ具。
【請求項４】
前記スライド部は、前記ベース上での前記挟持位置から前記開放位置に向かう方向でのスライド移動において、該開放位置を過ぎた後に前記一時保持部を該ベース部から飛び出させる飛び出し位置に至る、
請求項３に記載の綴じ具。
【請求項５】
前記一時保持部は、前記綴じ具本体が前記紙葉の綴じ込みを行うときに該紙葉に接する前記ベース部の背面側において、該ベース部と連結され、
前記一時保持部は、前記綴じ具本体による前記紙葉の綴じ込みが行われているとき、前記ベース部内に収容され、且つ、前記綴じ具本体による前記紙葉の綴じ込みが解除されたとき、前記ベース部内における収容状態から開放され前記綴じ足と接触可能となる、
請求項１に記載の綴じ具。
【請求項６】
前記一時保持部の先端部は、筒形状を有し、
前記綴じ足の先端部が、前記一時保持部の先端部の内部に嵌り込むことで、該綴じ足と該一時保持部の接触状態が維持される、
請求項１から請求項５の何れか一項に記載の綴じ具。
【請求項７】
前記綴じ足の先端部は、筒形状を有し、
前記一時保持部の先端部が、前記綴じ足の先端部の内部に嵌り込むことで、該綴じ足と該一時保持部の接触状態が維持される、
請求項１から請求項５の何れか一項に記載の綴じ具。
【発明の詳細な説明】
【技術分野】
【０００１】
本発明は、紙葉を綴じるための綴じ具に関する。
【背景技術】
【０００２】
紙葉を綴じる綴じ具が設けられているファイルにおいて、そこに綴じられている紙葉を抜き出そうとする場合や、反対にそこで新たな紙葉を綴じ込もうとする場合、既に綴じられている紙葉の一部又は全部を取り外しておいて、所定の作業を行う必要がある。ここで、各紙葉には綴じ具用の綴じ孔が設けられているが、このように一時的に取り外されることにより、その綴じ孔の並びが乱れ、再び綴じ具に綴じ込めようとするときの作業が煩雑なものとなり得る。
【０００３】
そこで、このような紙葉の一時的な取り外し時において、その綴じ孔が乱れないように保持する補助具に関する技術が開示されている（例えば、特許文献１、２を参照。）。これらの技術においては、補助具を綴じ具に隣接して、もしくは綴じ具の内部に確保しておき、必要に応じてユーザがその補助具を取り出して使用する。これらの補助具は、コ字形状の門型金具であって、該補助具の足の部分を一時的に取り出した紙葉の綴じ孔に差し込むことで、該綴じ孔が乱れることを防ぐ。
【特許文献１】特開２００７−２４５４５５号公報
【特許文献２】実公昭５７−５１７１号公報
【特許文献３】特開２００７−２０３５１８号公報
【発明の開示】
【発明が解決しようとする課題】
【０００４】
綴じ具を利用して紙葉の綴じ込みを行っている場合、必要に応じて紙葉を一定量まとめて抜き差しするときに、抜き出した紙葉の綴じ孔が位置ずれすることが多々あるため、その綴じ孔の乱れを防ぐ補助的構造物は有用である。しかし、従来のように綴じ具とは別体に構成される補助具や、綴じ具の一部を構成する部材であっても使用においては綴じ具を分解する必要がある補助具においては、該補助具の紛失の懸念や使用準備の煩わしさが拭えない。
【０００５】
また、綴じ具においても様々なタイプの綴じ具が発案されており、従来の補助具を格納する空間を確保するのが困難であるタイプの綴じ具も存在する。例えば、紙葉に設けられた綴じ孔へ挿入する可撓性の綴じ足と、その綴じ足が挿入された紙葉上に配置され、綴じ足を所定の方向に曲げた状態で挟持することで紙葉の綴じ込みを行う綴じ具本体と、を備える綴じ具においては、綴じ足が曲げられる状態となることで綴じ具全体の大きさを抑えることが可能となるが、その一方で補助具自体を格納する空間の確保は難しくなる。
【０００６】
本発明では、上記した問題に鑑み、綴じ足を所定の方向に曲げた状態で挟持することで紙葉の綴じ込みを行う綴じ具において、綴じられた紙葉を一定量まとめて抜き差しするときに、抜き出した紙葉の綴じ孔が位置ずれしないようにする綴じ具を提供することを目的とする。
【課題を解決するための手段】
【０００７】
本発明に係る綴じ具は、上記した課題を解決するために、紙葉に設けられた綴じ孔へ挿入する可撓性の綴じ足と、その綴じ足が挿入された紙葉上に配置され、綴じ足を所定の方向に曲げた状態で挟持することで紙葉の綴じ込みを行う綴じ具本体と、を備える綴じ具において、一時的に取り外されるまとまった量の紙葉を保持する部材を、綴じ具本体に設け
ることとした。これにより、綴じ具のユーザの利便性の向上を図ることができる。
【０００８】
詳細には、本発明に係る綴じ具は、前記紙葉に設けられた綴じ孔へ挿入する可撓性の綴じ足と、前記綴じ足が挿入された紙葉上に配置され、該綴じ足を所定の方向に曲げた状態で挟持することで前記紙葉の綴じ込みを行う綴じ具本体と、を備える綴じ具である。そして、前記綴じ具本体は、前記紙葉に挿入された前記綴じ足を前記所定の方向に収容する溝部を含むベース部と、前記ベース部上を、前記綴じ足を挟持する挟持位置と該綴じ足の挟持状態を開放する開放位置との間でスライド移動するスライド部と、前記ベース部に連結され、且つ前記綴じ具本体による前記紙葉の綴じ込みが解除された状態において、前記綴じ足と接触状態となり該綴じ足が挿入された前記紙葉の一部又は全部を、その綴じ孔を利用して移動することで、該紙葉を一時的に保持する一時保持部と、を有する。
【０００９】
上記綴じ具においては、各紙葉に設けられた綴じ孔に通された綴じ足が、ベース部とスライド部とを有する綴じ具本体によって挟持状態とされることで、それらの紙葉が綴じ足によって綴じ込まれた状態となる。その結果、上記綴じ具により、複数の紙葉を綴じ込み、その保管、管理に資する。ここで、綴じ具本体は、一時保持部を更に有する。この一時保持部は、綴じ足と接触状態となることで、綴じ足側に位置する紙葉（即ち、それまで上記綴じ具によって綴じ込まれていた紙葉）を、その綴じ孔に綴じ足もしくは該一時保持部が通された状態で、綴じ足側から一時保持部側に移送することができる。このとき、各紙葉は、その綴じ孔に綴じ足もしくは該一時保持部が通された状態となっているため、常に紙葉の綴じ孔は乱されることがない。
【００１０】
そして、一時保持部側への紙葉の移送が終了すると、綴じ足と一時保持部との接触状態を解除させて、綴じ足側に残る紙葉に対する所定の処理（削除や差し替えや新しい紙葉の追加等）を行うことができる。このとき、一時的に取り外された紙葉は一時保持部により確実に保持されているため、ユーザはそれらに特段の配慮を払う必要は無く、所定の処理を行うことができる。尚、当該所定の処理が完了すれば、ユーザは、一時保持部によって保持されている紙葉を、取り外した場合とは逆の手順で綴じ足側に移せばよい。
【００１１】
このように綴じ足と接触状態となることで紙葉の移送を行い一時的に保持する一時保持部をベース部に設けることで、ユーザの利便性を向上させることが可能となる。
【００１２】
ここで、上記綴じ具において、前記一時保持部は、前記スライド部の前記ベース部に対する相対位置に応じて、前記綴じ足と接触可能な状態となるように構成されてもよい。綴じ足と一時保持部との接触状態は、綴じ込まれている紙葉を一時的に移送する場合に必要であることを考慮すると、通常に綴じ具として紙葉を綴じこんでいる状態では当該接触状態を形成する必要は無い。そこで、綴じ具によって紙葉の綴じ込みが行われているか否かの状態に基づいて、綴じ足と一時保持部とが接触可能な状態が形成されるようにするのが好ましい。即ち、スライド部がベース部上をスライド移動して、紙葉の綴じ込み状態を解除したことに起因して当該接触可能な状態が形成されるようにすれば、綴じ具のユーザに対する利便性は更に向上すると考えられる。
【００１３】
ここで、上述までの綴じ具の一例として、次に述べる形態も採用し得る。即ち、前記一時保持部は、前記綴じ具本体が前記紙葉の綴じ込みを行うときに該紙葉に接する前記ベース部の背面側において、該ベース部と連結されてもよく、その場合、前記スライド部が前記挟持位置にあるときは、前記一時保持部は前記ベース部内に収容され、また、前記スライド部が、前記開放位置を含み前記綴じ足の挟持状態が解除されている位置にあるときは、前記綴じ足と接触可能となるように前記ベース部から飛び出す。
【００１４】
一時保持部をベース部の背面側に設けることで、該一時保持部を綴じ足に接触させよう
とする動作をユーザが行いやすくなる。但し、このように背面側に設けることで、通常に紙葉の綴じ込みを行う際の障害とならないように、スライド部が挟持位置にあるときは一時保持部はベース部の内部に収容される。そして、一時保持部の使用に際しては、スライド部が綴じ足の挟持状態が解除されている位置にあるときには、該一時保持部がベース部から飛び出すように構成される。この結果、ユーザによる一時保持部の利便性は、格段に向上する。
【００１５】
また、綴じ足と一時保持部の接触可能な状態は、上記のようにスライド部のスライド動作と必ずしも連動する必要はなく、あくまでも綴じ具によって紙葉の綴じ込みが行われているか否かの状態に基づいて、その接触可能状態が形成されればよい。そこで、前記一時保持部は、前記綴じ具本体が前記紙葉の綴じ込みを行うときに該紙葉に接する前記ベース部の背面側において、該ベース部と連結される場合、前記一時保持部は、前記綴じ具本体による前記紙葉の綴じ込みが行われているとき、前記ベース部内に収容され、且つ、記綴じ具本体による前記紙葉の綴じ込みが解除されたとき、前記ベース部内における収容状態から開放され前記綴じ足と接触可能となるように構成されてもよい。この構成によると、紙葉の綴じ込みが行われなくなったことをもって、上記接触可能状態が形成され得る。
【００１６】
ここで、上記綴じ具において、前記スライド部は、前記ベース上での前記挟持位置から前記開放位置に向かう方向でのスライド移動において、該開放位置を過ぎた後に前記一時保持部を該ベース部から飛び出させる飛び出し位置に至るように構成されてもよい。即ち、スライド部が開放位置を過ぎた後に飛び出し位置に至ることで、綴じ足の挟持状態の解除を行った後に、ベース部の背面側に設けられた一時保持部の飛び出しを行うことになるため、該一時保持部の飛び出しが円滑となる。
【００１７】
また、上述までの綴じ具における綴じ足と一時保持部との接触状態は、綴じ込まれた紙葉を移送するために極めて重要であるため、当該接触状態の維持は確実であることが好ましい。そこで、前記一時保持部の先端部は、筒形状を有している場合、前記綴じ足の先端部が、前記一時保持部の先端部の内部に嵌り込むことで、該綴じ足と該一時保持部の接触状態が維持されるように構成されてもよい。または、前記綴じ足の先端部は、筒形状を有する場合、前記一時保持部の先端部が、前記綴じ足の先端部の内部に嵌り込むことで、該綴じ足と該一時保持部の接触状態が維持されるように構成されてもよい。
【発明の効果】
【００１８】
綴じ足を所定の方向に曲げた状態で挟持することで紙葉の綴じ込みを行う綴じ具において、綴じられた紙葉を一定量まとめて抜き差しするときに、抜き出した紙葉の綴じ孔が位置ずれしないようにする綴じ具を提供することができる。
【発明を実施するための最良の形態】
【００１９】
ここで、本発明に係る綴じ具の実施の形態について図面に基づいて説明する。図１は、本発明に係る綴じ具であって、綴じ足７と綴じ具本体１を利用した綴じ具を備えるファイリング用具５０を示す。ファイリング用具５０は、表表紙５１と背表紙５２と綴じ代５３と裏表紙５４とが一枚のポリプロピレンを折り曲げたものから構成され、境界にヒンジが形成されている。そして、綴じ代５３の片面には、綴じ足７用の孔が二つ開けられ、各綴じ足７をその孔に挿入した後、綴じ代５３は超音波溶着で固定される。なお、ファイリング用具５０は、表表紙５１と背表紙５２と綴じ代５３と裏表紙５４とが一枚の紙片を折り曲げたものから構成されていてもよく、綴じ代５３は糊などで貼着されて固定されていてもよい。
【００２０】
ここで、綴じ足７は円筒状に形成されたアクリロニトリル・ブタジエン・スチレン（ＡＢＳ）などの樹脂や、金属製でコイル状のスプリングなどで構成されており、表紙に対し
て直立した状態となっている。また、外力が加えられてもその外力が除去されれば直ちに元の状態に戻る可撓性を有している。
【００２１】
このように構成される綴じ足７は、図２に示すように紙葉６０に設けられた綴じ孔６１に挿入される（図２においてはファイリング用具５０の記載は省略している）。この綴じ孔６１は、二本の綴じ足７の間隔に応じて各紙葉６０に設けられているものである。そして、綴じ足７に紙葉６０が挿入された状態において、綴じ具本体１によって綴じ足７の挟持状態が形成されることで、紙葉６０がファイリング用具５０に綴じ込まれた状態となる。以下に、綴じ具本体１による紙葉の綴じ込みの詳細について図３Ａ〜図５に基づいて説明する。
【００２２】
図３Ａは、綴じ具１の開放状態を示す斜視図であり、図３Ｂは、綴じ具１に設けられた長溝４の幅方向における断面図である。また、図４は、綴じ具１の挟持状態を示す図である。ここでいう開放状態とは、綴じ具１により紙葉等の綴込みを行うための準備状態をいい、挟持状態とは、綴じ足７を挟みこむことで綴じ具１により紙葉等の綴込みが実行される状態をいう。
【００２３】
綴じ具１は、細長形状のベース部２と、そのベース部２上に摺動可能に取り付けられたスライド部３とによって構成される。このベース部２とスライド部３は、アクリロニトリル・ブタジエン・スチレン（ＡＢＳ）等の樹脂によって形成されている。
【００２４】
ここで、ベース部２には、その長手方向に沿って延びる長溝４が設けられている。長溝４は、図３Ｂに示すように、その長手方向における両側の側面を形成する側壁部４ａ、４ｂ、その底面を形成する底部４ｃを有する。更に、長溝４において、その両端からその長さの１／３程度内側の部位に、ベース部２の裏面と表面とを貫通する貫通孔５が二箇所設けられている。この貫通孔５は、長溝４の側壁部４ａ側にも開口している。尚、長溝４の側壁部４ｂ側では、貫通孔５は開口していない。
【００２５】
この長溝４は、上記の綴じ足７をスライド部３のスライドに応じて収容するものである。そして、側壁部４ａ側に開口した貫通孔５のそれぞれの近傍には、側壁部４ａにＬ字型アーム８が、側壁部４ｂに隆起部９ａ、９ｂがそれぞれ設けられている（詳細は、図５を参照。）。Ｌ字型アーム８は、Ｌ字の一つの端部８ａ（以下、「接続端」という。）が側壁４ａ側に接続され、もう一つの端部は長溝４内に臨む状態で自由端８ｂとなっている。更に、Ｌ字型アーム８の角部８ｃは、側壁４ａの外壁面から若干外側に突出した状態となっている。従って、Ｌ字型アーム８の角部８ｃに対して外部から長溝４の内部方向に外力が働くと、Ｌ字型アームの接続端８ａを軸としてＬ字型アーム８が長溝４の方向に回転し、その自由端８ｂが長溝４内に突出した状態とされる。
【００２６】
更に、Ｌ字型アーム８の自由端８ｂの対向する側壁部４ｂ側には、長溝４内に隆起する二つの隆起部９ａ、９ｂが設けられている。より具体的には、隆起部９ａと隆起部９ｂとの概ね真ん中の位置に対向する側壁部４ａ側に、Ｌ字型アーム８の自由端８ｂが位置する。従って、スライド部３がＬ字型アーム８の角部８ｃに接触すると、この隆起部９ａ、９ｂと自由端８ｂによって、ベース部２の長手方向に延びている長溝４は、若干蛇行した形状となっている（図５を参照。）。
【００２７】
また、ベース部２の背面には、図示されていないが、ベース部２にスライド部３が係合した状態のとき、スライド部３がスライドするための摺動面を形成するスライド用溝が設けられている。更に、このスライド用溝には、ベース部２に対するスライド部３のスライド移動を若干妨害する突起部が設けられており、これにより、図３Ａに示す開放状態にベース部２とスライド部３とがあるとき、この突起部によってこの開放状態が維持される結
果となる。この突起部によるスライド移動の妨害は若干程度であるので、当然、やや大きな外力がスライド部３に掛けられることで、スライド部３は突起部を容易に乗り越えることは可能であり、スライド部３のスライド動作が突起部によって著しく困難となることはない。
【００２８】
また、スライド部３は、二つの押圧部１２が連結部１３によって連結された形状を有している。連結部１３は、二つの押圧部１２の片側端部同士を連結する。この押圧部１２は、図３Ａ、４に示すようにベース部２とスライド部３とが組み合わされた状態において、スライド部３がベース部２上をスライドするために指等によって外力を付与する部位である。そこで、押圧部１２上には、指等がかかり易く外力が効率的に伝わるように、表面が連続した凹凸形状となっている突起が複数個設けられている。
【００２９】
更に、各押圧部１２の四隅には、上記ベース部２のスライド用溝とともにスライド面を形成するためのスライド部（後述する図６Ｂを参照。）が設けられている。即ち、スライド部３がベース部２上をスライドするとき、このスライド部がスライド用溝と互いに摺動する関係となる。
【００３０】
このように構成されるベース部２とスライド部３とを有する綴じ具本体１は、図２に示すような紙葉６０に対して挿入された綴じ足７を挟持することで、該紙葉６０の綴じ込みを行う。具体的には、図３Ａに示す開放状態にある綴じ具本体１に対して、図２に示す綴じ足７を側壁部４ａ側に開口した貫通孔５に差し込む。そして、その状態からスライド部３が長溝４の延びる方向にスライドすると、次第に綴じ足７が長溝４に引き込まれて、最終的に長溝４内で綴じ足７がベース部２とスライド部３とによって挟持されることになる（この状態が図４、５に示す挟持状態である。）。その結果、綴じ足７に挿入された紙葉が綴じ込まれることになる。
【００３１】
ここで、長溝４内でベース部２とスライド部３によって挟持された綴じ足７の挟持状態について、図５に基づいて説明する。図５は、スライド部３が挟持状態へとスライドすることで、綴じ足７が長溝４内でベース部２とスライド部３によって挟持された状態を示す。上述したように、この挟持状態においては、スライド部３がＬ字型アームの角部８ｃを長溝４側に押し込む。その結果、Ｌ字型アーム８の自由端８ｂが長溝４内に収容される綴じ足７に接触する。そして、自由端８によって押された綴じ足７は側壁部４ｂ側に凸の状態で曲げられるが、このとき自由端８ｂの左右には隆起部９ａ、９ｂが設けられているため、綴じ足７は隆起部９ａ、９ｂと自由端８ｂとに接触した状態で曲げられた状態になる。
【００３２】
従って、図５に示すようにスライド部３が挟持状態となると、綴じ足７が自由端８ｂの端部と隆起部９ａ、９ｂの端部とに突き刺さるように接触するため、この接触部において比較的大きな応力が作用することになる。その結果、綴じ足７がベース部２およびスライド部３との間に挟持されるときの摩擦力が比較的大きくなり、綴じ足７の固定がより確実なものとなる。
【００３３】
このように確実に紙葉６０の綴じ込みを可能とする綴じ具を備えるファイリング用具５０において、綴じ込まれた紙葉６０の一部又は全部を一時的に取り出して、その途中に存在する特定の紙葉を差し替えたり、削除したりする等、所定の作業をユーザが行いたい場合がある。このような場合に、ユーザはまとまった量の紙葉６０をファイリング用具５０から取外し、所定の作業終了後、再びファイリング用具５０に戻す一連の作業を行う必要がある。しかし、上述の通り、各紙葉６０には綴じ孔６１が設けられているため、綴じ孔６１の並びが乱れると再び紙葉６０を綴じ足７に挿入してファイリング用具５０に戻すのが煩わしくなり、ユーザの利便性を阻害する結果となる。
【００３４】
そこで、本発明に係る綴じ具本体１には、そのベース部２に上記ユーザに課せられる一連の作業をアシストするための機構が備えられており、このアシスト機構について図６Ａ、６Ｂ、６Ｃ、７、８に基づいて説明する。図６Ａ、７、８は、綴じ具をその長手方向に沿って切断した場合の断面図であり、図６Ｂはスライド部３の裏面側を示す図であり、図６Ｃは綴じ足７が挟持状態にあるときの上記断面方向に垂直な面で綴じ具を切断した場合の断面図である。
【００３５】
ここで、ベース部２の貫通孔５の近傍に設けられた円筒部２１が、当該アシストのための機構に相当する。この円筒部２１は、図６Ａに示すように、綴じ足７がベース部２とスライド部３によって挟持状態とされているときに、ベース部２の背面側（図２に示す紙葉６０に直接接触する面側）に配置されその一部が逆の上面側まで貫通している収容空間２０の内部に収容されている。尚、この円筒部２１は、その基端部２３においてベース部２に対して回動自在となるように、該ベース部２に連結されている。
【００３６】
円筒部２１は、図６Ａに示す収容空間２０内に収容されている状態では、その側端はベース部２の背面から外部には飛び出さず、且つベース部２に対して組みつけられたスライド部３のスライド移動に干渉しない寸法形状、即ち円筒部２１の円筒の外径を有している。そして、この円筒部２１の外径は、紙葉６０に設けられた綴じ孔６１の内径よりも若干小さい。更に、円筒部２１の先端側には、内部が空洞となっている空洞部２２が設けられている。
【００３７】
また、スライド部３側においては、図６Ｂに示すように、綴じ足７と対向する裏面（即ち、ユーザが操作をする面とは反対側の面）において、二つの突起部１５が設けられている。この二つの突起部１５は、図６Ｃに示すように挟持状態にある綴じ足７に対しては接触しない程度に、スライド部３の押圧部１２の裏面側から突起して形成される。また、突起部１５同士の間隔も、主に長溝４に収められている綴じ足７との接触が回避される程度に離れている。
【００３８】
ここで、突起部１５は、収容空間２０に収容されている円筒部２１の一部であって、該収容空間２０のうちスライド部２の上面側に開口している部分を経て、スライド部３の背面近くにまで達している該円筒部２１の端部２４に対して、スライド部３がスライドすることでそれに接触することが可能である。そして、この突起部１５の端部２４への接触により、円筒部２１が基端部２３を中心として回動するモーメントが、該円筒部２１に与えられることになる。以下、この突起部１５と端部２４との接触による円筒部２１の回動動作について、図７及び図８に基づいて説明する。
【００３９】
図７は、図６Ａに示す状態（綴じ足７を挟持するためにスライド部３が挟持位置に位置する状態）から綴じ足７の挟持状態を解除するためにスライド部３が図中左方向にスライド移動した状態を示す。この状態においては、スライド部３による綴じ足７を倒し込むための外力は作用していない状態であるため、可撓性を有する綴じ足７は図７に示すように直立した状態となる。そして、この状態は、綴じ具本体１を操作するユーザは、貫通孔５を介して綴じ足７を綴じ具本体１から取り外すことが可能な状態であり、スライド部３は開放位置に位置する。
【００４０】
また、スライド部３が開放位置に位置するときは、突起部１５は円筒部２１の端部２４に接触する直前の状態にある。従って、この状態においては、円筒部２１に対して基端部２３を中心とした回動のためのモーメントは付与されておらず、該円筒部２１は回動していない。
【００４１】
更に、図７に示す開放位置から更にスライド部３が図中左側にスライド移動すると、図８に示す飛び出し位置に至る。この飛び出し位置に至るまでに、スライド部３の突起部１５は円筒部２１の端部２４に接触し、更に該端部２４を押し出そうと作用する。その結果、円筒部２１に対しては上記モーメントが作用することになり、図８に示すように円筒部２１の先端部分が、収容空間２０からベース部２の外側へ飛び出した状態となる。尚、図７に示す状態で既に綴じ足７の挟持状態は解除されているので、円筒部２１の飛び出しは阻害されない。
【００４２】
また、スライド部３については、図８に示す状態から更に図中左側にスライドすることはできないが、円筒部２１はユーザがそれを回動させると、図９に示すように該円筒部２１がベース部２に対してほぼ垂直となる位置まで回動させられる。その後、ユーザは、綴じ足７の先端部分を円筒部２１の空洞部２２に差し込むことで、図９に示す円筒部２１と綴じ足７との接触状態を形成することが可能である。尚、綴じ足７の先端部分の外径は、空洞部２２への差込みが円滑に行われ且つ差し込まれた綴じ足７が容易には空洞部２２から外れないように、先端部分を除く他の部分の外径よりも若干小さく形成されている。
【００４３】
従って、ユーザは、図６Ａに示す綴じ足７の挟持状態からスライド部３をスライド移動させて、それを開放位置に位置させ、更に飛び出し位置に位置させることで、円筒部２１を図８に示す状態に至らしめることができる。そして、更に該円筒部２１を飛び出させ、綴じ足７の先端部分を該円筒部２１に差し込むことで、両者の接触状態を保持させることができる（図９を参照）。ここで、ユーザは、上記所定の作業を行うに当たって、一時的にまとめて取り外さなければならない紙葉６０の一部又は全部を綴じ足７、円筒部２１を沿って、円筒部２１側に移動させる。このとき、各紙葉６０は、それぞれの綴じ孔６１が一本につながった綴じ足７及び円筒部２１に挿入された状態にあるため、綴じ孔６１全体の並びが乱れることは無い。
【００４４】
そして、必要な量の紙葉６０が円筒部２１側に移動されると、ユーザは円筒部２１と綴じ足７との接触状態を解除し、ファイリング用具５０側に残された目的とする紙葉６０に対して所定の作業を行うことが可能である。このとき、綴じ具本体１側の円筒部２１には、一時的に取り外された紙葉６０が挿入された状態とされている。そして、上記所定の作業が終了すると、再び円筒部２１と綴じ足７を接触状態にし、取り外した紙葉６０をファイリング用具５０側に移動させればよい。この結果、ユーザは、所定の作業をするに当たって取り外した紙葉の取り扱いが容易となる。
【００４５】
尚、上述のまとまった量の紙葉の一時的な取外しを行う必要が無い場合は、ユーザはスライド部３のスライド位置を図７に示す開放位置にして、綴じ足７を綴じ具本体１から外してしまえばよく、図８に示す飛び出し位置とする必要は無い。
【００４６】
また、円筒部２１と綴じ足７との接触状態の保持について、上述の実施例では、円筒部２１の先端部分に設けられた空洞部２２の内部に綴じ足７の先端部分を差し込む形態を採用したが、この形態に代えて、円筒部２１の先端部分を、円筒状に形成された綴じ足７の中空部分に差し込む形態を採用することも可能である。この場合、円筒部２１の先端部分を、綴じ足７の中空部分の内径に応じて、その他の部分と比べて若干細くするのが好ましい。
【図面の簡単な説明】
【００４７】
【図１】本発明の実施例に係る綴じ具を備えるファイリング用具の概略構成を表す図である。
【図２】本発明の実施例に係る綴じ具を構成する綴じ足に挿入された紙葉の状態を示す図である。
【図３Ａ】本発明の実施例に係る綴じ具を構成する綴じ具本体が開放状態にあるときの、その概略構成を示す図である。
【図３Ｂ】本発明の実施例に係る綴じ具に設けられた長溝の幅方向における断面図である。
【図４】本発明の実施例に係る綴じ具を構成する綴じ具本体が挟持状態にあるときの、その概略構成を示す図である。
【図５】本発明の実施例に係る綴じ具において、挟持された状態にある綴じ足の状態を示す図である。
【図６Ａ】本発明の実施例に係る綴じ具において、スライド部が挟持位置にあるときの、長手方向に沿った該綴じ具の断面図である。
【図６Ｂ】図６Ａに示す綴じ具のスライド部の裏面側の構成を示す図である。
【図６Ｃ】本発明の実施例に係る綴じ具において、スライド部が挟持位置にあるときの、長手方向に垂直な面で切断した場合の該綴じ具の断面図である。
【図７】本発明の実施例に係る綴じ具において、スライド部が開放位置にあるときの、長手方向に沿った該綴じ具の断面図である。
【図８】本発明の実施例に係る綴じ具において、スライド部が飛び出し位置にあるときの、長手方向に沿った該綴じ具の断面図である。
【図９】本発明の実施例に係る綴じ具において、ファイリング用具側にある紙葉を綴じ具本体側に移動させるときの綴じ足と綴じ具本体との接触状態を示す図である。
【符号の説明】
【００４８】
１・・・・綴じ具本体
２・・・・ベース部
３・・・・スライド部
４・・・・長溝
４ａ、４ｂ・・・・側壁部
４ｃ・・・・底部
５・・・・貫通孔
７・・・・綴じ足
８・・・・Ｌ字型アーム
８ａ・・・・接続端
８ｂ・・・・自由端
８ｃ・・・・角部
９ａ、９ｂ・・・・隆起部
１２・・・・押圧部
１３・・・・連結部
１５・・・・突起部
２０・・・・収容空間
２１・・・・円筒部
２２・・・・空洞部
２３・・・・基端部
２４・・・・端部
５０・・・・ファイリング用具
５１・・・・表表紙
５２・・・・背表紙
５３・・・・綴じ代
５４・・・・裏表紙
【図１】
2009298125.tif 000003
【図２】
2009298125.tif 000004
【図３Ａ】
2009298125.tif 000005
【図３Ｂ】
2009298125.tif 000006
【図４】
2009298125.tif 000007
【図５】
2009298125.tif 000008
【図６Ａ】
2009298125.tif 000009
【図６Ｂ】
2009298125.tif 000010
【図６Ｃ】
2009298125.tif 000011
【図７】
2009298125.tif 000012
【図８】
2009298125.tif 000013
【図９】
2009298125.tif 000014